(57)【特許請求の範囲】
【請求項１】
太陽電池（７）を備えた屋根材（３Ａ）を含む複数の屋根材（３，３Ａ）を配設した屋根の屋根棟部（Ｂ）における野地板（４）上に屋根棟部（Ｂ）に沿って取り付けられる棟役物であって、
軒側端部が最上段の屋根材（３，３Ａ）上に配置されて棟側に延びる上壁部（４１）を有し、上壁部（４１）の上面に、屋根棟部（Ｂ）を覆う棟カバー（３８）が取付可能とされた屋根棟部に用いる棟役物において、
太陽電池（７）の電気ケーブル（３１）を、上壁部（４１）の下方を通して棟カバー（３８）下方で軒側から棟側に挿通するための挿通口（５２）が、具備されていることを特徴とする屋根棟部に用いる棟役物。
【請求項２】
前記上壁部（４１）の他に、該上壁部（４１）の棟側端部から下方に延びその下端部が野地板（４）上に配置される立壁部（４２）を有して構成され、この立壁部（４２）の下部に前記挿通口（５２）が形成されていることを特徴とする請求項１に記載の屋根棟部に用いる棟役物。
【請求項３】
前記挿通口（５２）を棟長手方向に複数形成していることを特徴とする請求項１又は２に記載の屋根棟部に用いる棟役物。
【請求項４】
太陽電池（７）を備えた屋根材（３Ａ）を含む複数の屋根材（３，３Ａ）を野地板（４）上に配設し、屋根の屋根棟部（Ｂ）における野地板（４）上に棟役物（４０）を屋根棟部（Ｂ）に沿って取り付け、前記棟役物（４０）は、軒側端部が最上段の屋根材（３Ａ）上に配置されて棟側に延びる上壁部（４１）を有し、上壁部（４１）の上面に、屋根棟部（Ｂ）を覆う棟カバー（３８）を取り付けている太陽電池を備えた屋根構造において、
前記屋根材（３，３Ａ）の下面に、電気ケーブル（３１）を挿通可能な挿通路（３６）を屋根勾配方向に設け、前記電気ケーブル（３１）を棟部（Ｂ）から屋内に引き入れ可能とするように、太陽電池（７）の電気ケーブル（３１）を、前記挿通路（３６）に対応して上壁部（４１）の下方を通すと共に、太陽電池（７）の電気ケーブル（３１）を、棟カバー（３８）下方で軒側から棟側に挿通するための挿通口（５２）を、前記棟役物（４０）に具備していることを特徴とする太陽電池を備えた屋根構造。
【請求項５】
前記棟役物（４０）は、前記上壁部（４１）の他に、該上壁部（４１）の棟側端から下方に延びその下端部が野地板（４）上に配置される立壁部（４２）を有して構成され、この立壁部（４２）の下部に前記挿通口（５２）が形成されていることを特徴とする請求項４に記載の太陽電池を備えた屋根構造。
【請求項６】
前記挿通路（３６）を屋根材（３，３Ａ）に対して棟長手方向に複数設け、前記挿通口（５２）を前記挿通路（３６）に対応して設けていることを特徴とする請求項４又は５に記載の太陽電池を備えた屋根構造。
【発明の詳細な説明】
【０００１】
【発明の属する技術分野】
本発明は、屋根棟部に設けられる棟役物並びに太陽電池を備えた屋根構造に関するものである。
【０００２】
【従来の技術】
近年、住宅等の屋根の上に太陽電池を設置し、この太陽電池から電力を取り出して住宅に供給する住宅用太陽発電システムが普及してきている。
この種太陽電池システムとしては、既設の屋根の上にフレーム等を介して太陽電池ユニットを装着する後付型のものと、屋根材（瓦）に太陽電池を一体とした建材一体型の太陽電池モジュールを屋根の野地板上に葺いていく屋根一体型のものがある。
【０００３】
【発明が解決しようとする課題】
前記後付型のものにあっては、太陽電池の電気ケーブルの屋内への引き込みを、建物の壁に設けた換気口や軒先側の隙間、或いは屋根に孔を穿けて行っており、これではケーブルが外部に露出することが多くなって風雨に曝され、耐久性の問題が生じていた。また、引き込み箇所が一定せず配線の取り回しが困難となって施工上手間がかかるものとなっていた。
その点、建材一体型の太陽電池屋根材を用いる場合、屋根葺き作業と合わせてケーブル配線が行えることから屋根材の下側にケーブルを這わすことが可能となり、外部に露出するようなことが少なくできるものの、屋内へのケーブル引き込みのために、現地合わせ等により野地板等に孔を穿けたり棟上部を覆う棟カバーに孔を穿ける作業を伴っており、施工の手間が多大となるとともに防水性に劣り、雨仕舞も困難なものとなっていた。
【０００４】
そこで、本発明は、太陽電池等の配線を棟側から容易に引き込むことを可能とし、防水性の点で有利となる屋根棟部に用いる棟役物、並びに太陽電池を備えた屋根構造を提供することを目的とする。
【０００５】
【課題を解決するための手段】
本発明は、上記目的を達成するために、以下の技術的手段を講じている。
すなわち、本発明の屋根棟部に用いる棟役物は、屋根棟部における野地板上に棟部に沿って取り付けられ、該野地板との間に屋根勾配方向に挿通する挿通口を形成可能な切欠部を備えているものである。
これによれば、野地板上に配設した太陽電池付き屋根材のケーブルを適宜経路を介して棟側に配設し、屋根棟部に設けた棟役物の切欠部を介して棟部から屋内へケーブルを引き込み可能となる。
【０００６】
従って、屋内へのケーブル引き込みが所定個所から行えてケーブルの配線を容易に行いうるとともに、現地合わせによる孔穿け等も不要であることから施工上の手間が少なくなる。また、切欠部を棟役物の長手方向（棟長手方向）に複数設けることにより、屋根材の配置やケーブルの配設経路に影響されることなく、いずれかの切欠部を用いてケーブルを引き込み可能となっている。
また、この棟役物は、その軒側端部が最上段の屋根材の棟側端部上に配置されて棟側に延びる上壁部と、該上壁部の棟側端から下方に延びその下端部が野地板上に配置される立壁部とを有して構成し、この立壁部の下部に前記切欠部を形成し、上壁部の上面に、屋根棟部を覆う棟カバーを取付可能とするのが好ましい。
【０００７】
このような構成によって、上壁部の軒側端を屋根材上に配置するとともに、上壁部の下側にケーブルを通して切欠部から棟側に引き出し、上壁部上面に棟カバーを設けることで、切欠部が棟カバー内に配置されることとなって切欠部からの浸水が防止され、更に、ケーブルの露出が防止されることから耐久性向上にも寄与するものとなる。
また、本発明は、太陽電池を備えた屋根材を含む複数の屋根材を野地板上に配設している太陽電池を備えた屋根構造において、
前記屋根材の下面に、電気ケーブルを挿通可能な挿通路を屋根勾配方向に設け、屋根棟部における野地板上に、前記ケーブルを棟部から屋内側に引き入れ可能とするように前記挿通路に対応して位置づけられた前記ケーブルの挿通口を有する棟役物を棟部に沿って設けていることを特徴とするものである。
【０００８】
これによれば、太陽電池のケーブルを屋根材の下面を通して棟側に配設し、屋根棟部においては、棟役物の挿通口を介して容易に屋内へ引き込むことが可能となる。
この際、屋根材の挿通路に対応して棟役物の挿通口が設けられていることから、ケーブルを遠回しすることなく最短距離で棟部に配設することができるようになる。
また、前記挿通路を屋根材に対して棟長手方向に複数設け、前記挿通口を前記挿通路に対応して設けることにより、いずれかの挿通路を用いて電力の集電場所に応じたケーブル配線が行えながら、挿通路に対応する挿通口によりケーブルを最短で屋内に引き込むことが可能となっている。
【０００９】
なお、棟役物として、前述したような上壁部と立壁部とを備えた構成とし、上壁部の軒側端を屋根材上に配置するとともに、立壁部の下端部を野地板上に配置し、上壁部の上面に棟カバーを取り付けるようにすれば、立壁部の切欠部が棟カバー内に配置されて切欠部からの水の侵入が防止されるとともに、上壁部でケーブルを覆って雨水等から保護できる。
【００１０】
【発明の実施の形態】
以下本発明の実施の形態を図面を参照して説明する。
図１４には、太陽電池を備えた住宅等の建物１の屋根２Ａ、２Ｂを示しており、この屋根２Ａ、２Ｂは、複数の屋根材３、３Ａを野地板４上に設置することにより構成され、例えば、南側に向く屋根２Ａの全部又は一部には、太陽電池７を一体に備えた屋根材３Ａが利用されている。
本図の例では、Ａ枠内で示す範囲に太陽電池一体型の屋根材３Ａが使用され、各屋根材３Ａを縦横に整列状に配設したものとし、当該屋根２Ａの他の部分及び反対側の屋根２Ｂには、太陽電池７を備えない屋根材３（例えば従来公知の金属製屋根材やセメント製屋根材）が用いられている。
【００１１】
図６、図７及び図９に示すように、前記太陽電池付き屋根材３Ａは、ベース６の上面に太陽電池７を備えて構成され、該太陽電池７は、ガラス材に太陽電池のセルを貼着し、下面に端子ボックス８を備えている。
太陽電池７の下面には、金属製板材よりなる基板９を有しており、図１０に示すように、基板９の軒側端には下方に折曲する第１折片１１と、該第１折片１１から棟側に折曲した第２折片１２と、該第２折片１２から軒側に向けて折曲した軒側重合片１３とを一体に備えている。
【００１２】
また、基板９の棟側には、上方に突出するとともに軒側に向けてＬ字状に折曲された棟側重合片１４が設けられている。
なお、図７に示すように、基板９の軒側には上下に貫通する窓１０が形成され、太陽電池７下面の端子ボックス８が窓１０を介して基板９の下側に突出するようになっている。
前記ベース６は、発泡樹脂材等により形成されており、屋根材としての踏み強度や断熱性を保つべく考慮されている。また、ベース６は、図６に示すように、軒側端部から棟側端部に向けて徐々に肉厚が薄くなるように側面視楔型に形成され、左右中央部で且つ軒側の端部には、前記端子ボックス８を収容する収容凹部１５が形成されている。
【００１３】
ベース６上面の左右両側には、帯状の金属板材よりなる一対の支持板１６がベース６の屋根勾配方向に亘って設けられている。各支持板１６の棟側端には、図９にも示すように、上下に突出するとともに軒側に折曲する略Ｌ字状の上下係止片１７，１８を備えており、支持板１６の軒側端はベース６よりも突出されていて、この突出部分に連結ネジ１９を介して吊り子２０を固定している。
前記吊り子２０は、支持板６の下面にネジ止めされる連結片２０ａと、該連結片２０ａの棟側端からベース６の軒側端面に沿って下方に延び、更に棟側に向けて折曲する前係止片２０ｂを備えている。また前係止片２０ｂから軒側に向けて折曲され、釘等の固定具２１によって野地板４上に固定される固定片２０ｃを一体に備えている。
【００１４】
よって、ベース６は、軒側端で前係止片２０ｂと支持板６とで挟持され、棟側端で下係止片１８と支持板６との間で挟持されるようになり、ここにベース６、支持板１６、吊り子２０が一体となるように組み立てられている。
図１０にも示すように、前記連結片２１の軒側端には、上側が開放したコ字状の取付片２３が一体に屈曲形成され、この取付片２３の軒側端面にはネジ孔２４が形成されている。また、取付片２３の軒側端には、ネジ孔２４に螺合する止めネジ２５を介して着脱自在にストッパ部材２６が固定される。
【００１５】
このストッパ部材２６は、取付片２３の軒側端面に対向する縦片２６ａと、この縦片２６ａの上端から棟側に折曲する係止片２６ｂと、縦片２６ａの下端から棟側に向けて斜め下方に折曲する止め片２６ｃとを一体に備えている。
そして、前記太陽電池７は、その基板９の棟側端を支持板１６の棟側端に設けた上係止片１７に係合させるようにしてベース６上に載置され、基板９の軒側端では、第１折片１１及び第２折片１２が取付片２３に係合するとともに、該取付片２３の前端，第１折片１１及びストッパ部材２６を重ね合わせた状態で止めネジ２５を締結することによりベース６に固定され、該ストッパ部材２６の係止片２６ｂにより太陽電池７の上方への浮き上がりが防止され、更に、縦片２６ａによって前方への移動が規制されるようになっている。
【００１６】
また、ベース６に設けた収納凹部１５に端子ボックス８が収納され、該端子ボックス８から２本のコネクタ付き接続ケーブル２７が軒側に突出している。
上記構成の太陽電池付き屋根材３Ａは、屋根２Ａの棟側から順次設置されるようになっており、具体的には、図９及び図１０に示すように、棟側（上段）に配置される屋根材３Ａの軒側に突出する基板９の下側に、軒側（下段）に配置される屋根材３Ａの棟側端部が挿入される。
そして、上段側の軒側重合片１３と下段側の棟側重合片１４とが上下に相対するように配置され、この棟側及び軒側重合片１３，１４に対して結合部材２８が嵌合されるようになっている。
【００１７】
この結合部材２８は、上下の挟持片２８ａを有する側面視コ字状に形成され、上下挟持片２８ａをつなぐ連結片２８ｂによって軒側及び棟側重合片１３，１４の先端部を塞ぐように取り付けられ、ここに両重合片１３，１４間からの雨水等の浸入防止を図っている。
また、上挟持片２８ａの上側には、軒側に折り返された掛止片２８ｃが形成され、結合部材２８を各重合片１３，１４に嵌合することによって、掛止片２８ｃがストッパ部材２６の止め片２６ｃに係合し、ここに結合部材２８の抜落を防止するとともに、上下段の屋根材３Ａ，３Ａの屋根勾配方向の位置ずれが防止されている。
【００１８】
また、ストッパ部材２６を取り外すことによって結合部材２８を取外し、ベース６から太陽電池７を容易に取り外し可能であり、これにより太陽電池７の交換等のメンテナンスを容易に行い得るようにしている。
図１１には、各屋根材３Ａにおけるケーブルの接続構造を例示している。
本図では、左右３枚の屋根材３Ａを上下４段に配設した状態を示しており、左右に隣接する屋根材３Ａは、端子ボックス８から出ている接続ケーブル２７によって接続され、左右一端側（右側）にある上２段、下２段の屋根材３Ａ同士が接続ケーブル２７及び中継ケーブル３０を介して接続される。
【００１９】
また、左右他端側（左側）にある各屋根材３Ａの接続ケーブル２７には、屋内側へと引き込まれる引込ケーブル３１の一端が接続されるようになっており、よって上下各２段の屋根材３Ａがそれぞれ直列に接続されている。
ここで、各接続ケーブル２７，３０，３１は、図９に示すように、上段側の屋根材３Ａと下段側の屋根材３Ａとの間に形成される左右方向の空間３２に配置されていて風雨等から保護されるようになり、更に、前記結合部材２８により上下段の屋根材３Ａ，３Ａの隙間を塞いで浸水を防止していることから、より確実な保護が図れるようになっている。
【００２０】
なお、各ケーブル２７，３０，３１のコネクタ近傍には、図７に示すようなタグ３３が取り付けられており、このタグ３３は、厚紙等により形成されて、＋−の極性や、接合相手を示す英数字等の符号が記載されるようになっており、これによって誤接続等を防止している。また、前記タグ３３を押しピン等によって野地板４に仮止めすることにより、屋根材設置時にケーブル２７，３０，３１が邪魔となったり踏みつけたりすることがないように避けることが可能となる。
図６及び図８に示すように、前記ベース６の下面には、左右複数（図例では４つ）の凹溝３５が所定間隔をおいて設けられており、この凹溝３５は、野地板４とベース６との間に屋根勾配方向の通路状の空間を形成し、この空間をケーブルの挿通路３６としている。そして、前記中継ケーブル３０及び引込ケーブル３１は、この挿通路３６のいずれかを通って棟部側へ配設されるようになっている。
【００２１】
従って、野地板４上に配設した屋根材３Ａには、図３に示すように、左右方向の収納空間３２と屋根勾配方向の挿通路３６とによって縦横にケーブル２７，３０，３１の配設が可能であり、挿通路３６を複数設けることによって、建物の構造や電力の集電場所に応じて挿通路３６を選択することができ、また、凹溝３５をベース６の幅に亘るように広く形成するのではなく、細幅のものを複数形成していることから、野地板４上への載置面積（接触面積）を可及的に拡げて強度を確保している。
【００２２】
なお、図３の例では、一番端（左側）に設けられた挿通路３６に引込ケーブル３１を配設した状態を示している。
前記凹溝３５は、ベース６に対して所定間隔で４つ（左右対称位置に２つずつ）形成されていることから、上下段の屋根材３Ａを幅１／２ずらした状態で配設した場合でも、各凹溝３５が屋根勾配方向に連続し、軒側から棟側へ連通した連通路３６が形成されるようになっている。
図２には、屋根棟部Ｂの詳細を示している。
【００２３】
屋根棟部Ｂの上方には、断面傘状に形成された棟カバー３８が設けられており、該棟カバー３８は、屋根勾配に略沿った傾斜面３８ａによって屋根面２Ａ、２Ｂに雨水等を導くようになされており、該棟カバー３８の一側（太陽電池を備えた屋根２Ａ側）は、野地板４上に固定されたベース部材（本発明にかかる棟役物）４０を介して固定され、他側（通常の屋根２Ｂ側）は、屋根材３上に固定したベース板３９等を介して固定されている。なお、４５は棟木、４６は垂木である。
【００２４】
このベース部材４０は、図３〜図５にも示すように、左右方向（棟長手方向）に長尺の金属製板材を屈曲形成してなり、屋根勾配に沿う方向の上壁部４１と、該上壁部４１の棟側端から下方に延びる立壁部４２と、該立壁部４２の下端から軒側に折曲する折り返し部４３とを有して構成されている。また、ベース部材４０は、長手方向に複数の吊り子４４を有している。
前記吊り子４４は、金属製板材を屈曲形成してなり、上壁部４１の下面に面接される上面部４４ａと、上面部４４ａの棟側端から下方に延びて立壁部４２の前面に面接される後面部４４ｂと、上面部４４ａの軒側端から下方に延びるとともに軒側に屈曲する固定部４４ｃとを有し、該固定部４４ｃには貫通孔４４ｄが形成されていて釘等の結合部材４７（図２参照）によって野地板４上に固定され、また、後面部４４ｂと立壁部４２とはリベット４８等によって結合される。
【００２５】
最上段の屋根材３Ａは、図１に示すように、吊り子４４の固定部４４ｃにおける立ち上がり部分４４ｅに近接して配置されており、この屋根材３Ａの上方に、前記上壁部４１の軒側端が配置されるようになっている。
また、上壁部４１の上面には、側面視Ｌ字状の取付ブラケット４９がネジ５９により固定され、該取付ブラケット４９に棟カバー３８一側の縦壁部分３８ｂがネジ５０により結合されるようになっている。そして、棟カバー３８は、縦壁部３８ｂ下端から軒側に屈曲する斜辺部３８ｃを有し、該斜辺部３８ｃが上壁部４１の上面に沿って配置されるようになっており、棟カバー３８とベース部材との間からの雨水の浸入を防止している。
【００２６】
前記ベース部材４０において、その立壁部４２の下端部には、棟長手方向に複数の切欠部５１を形成している。この切欠部５１は、野地板４との間で屋根勾配方向に挿通する挿通口５２を形成するようになっており、各挿通口５２は、屋根材３Ａに設けた各挿通路３６よりも広幅に形成されていて、２つ又は３つ以上の挿通路３６に対して左右方向に関して対応するように位置づけられている。
従って、挿通路３６に配設された引込ケーブル３１を、挿通口５２を介して直線的に棟部へ渡して屋内に引き込み可能であり、ここに、前記挿通口５２（切欠部５１）は、引込ケーブル３１を遠回しすることなく最短距離で容易に棟部Ｂに引き込むことができるようにして配線施工性の向上を図っている。
【００２７】
また、前記挿通口５２は棟カバー３８内に配置されることとなり、雨水等は棟カバー３８の傾斜面３８ａから縦壁部３８ｂ、斜辺部３８ｃを経て屋根面２Ａに流下するようになっており、これによって挿通口５２からの雨水等に浸入を防止可能であり、上壁部４１の下側に引込ケーブル３１が配置されることから該ケーブル３１が上方側から保護されるようになっている。
なお、前記上壁部４１の軒側端は若干下方に屈曲されており、この屈曲部４１ａは、屋根材３Ａの棟側重合片１４の前側に配置されるようになっており、よって、屈曲部４１ａは、当該屋根材３Ａの軒側への移動を規制するストッパとしての役割を担うとともに、上壁部４１と屋根材３Ａとの間の雨水等に浸入を防ぐ遮蔽部とされている。
【００２８】
そして、太陽電池付き屋根材３Ａを備えた野地板４の棟側端は、少なくともケーブル３１の引込部位が棟頂部よりも若干後退しており、屋内へのケーブル引込を可能としている。
前記挿通口５２（切欠部５１）は、屋根材３Ａの各挿通路３６に１対１で対応するように該挿通路３６と同数形成してもよい。
太陽電池７付き屋根材３Ａが屋根２の棟部Ｂまで至らない場合には（最上段側が太陽電池７を備えない屋根材３の場合）には、最上段側の屋根材３として、前述のベース６上に太陽電池７に代わるダミーの屋根部材７’を備えたものとするとともに、これを下段側の太陽電池７付き屋根材３Ａに対して屋根勾配方向に連続して設けることで挿通路３６を連通させ、上記と同様の配置でベース部材４０及び棟カバー３８を設けるようにすればよい。
【００２９】
図１及び図４に示すように、複数の引込ケーブル３１は、挿通路３６内等において結束部材５４を介して束ねられ、野地板４上に固定されるようになっている。
この結束部材５４は、図１２に示すように、合成樹脂材等により形成されていて、板状の受け部材５５と覆い部材５６とを有し、この受け部材５５及び覆い部材５６は、その長手方向一端部で薄肉状のヒンジ部５７によって一体的に連結され、開閉自在となっている。
【００３０】
また、受け部材５５の上面には、ケーブル径に応じた円弧状の保持凹部５５ａが複数形成され、覆い部材５６の下面にも同様の保持凹部５６ａが同数形成され、受け部材５５の保持凹部５５ａ内に複数のケーブル３１を嵌合するとともに覆い部材５６で挟むことにより複数の引込ケーブル３１を結束可能としてある。
また、受け部材５５の下面は、平坦面に形成されて野地板４上に面接可能であり、受け部材５５及び覆い部材５６の両端には平板状の固定部５５ｂ，５６ｂを備えていて、これら固定部５５ｂ，５６ｂには貫通孔５８を形成しており、ケーブル３１の保持状態で受け部材５５及び覆い部材５６の固定部５５ｂ，５６ｂが重合されるとともに、貫通孔５８を介して釘や止めネジ等の結合部材で野地板４に固定することにより、各引込ケーブル３１を横並びに整列した状態で配線可能としてある。
【００３１】
これにより、各ケーブル３１が団子状に束ねられるようなことが防止され、挿通路３６の上下幅が狭い場合でも引込ケーブル３１を挿通可能となって取り回しが容易に行え、逆に言えば、屋根材ベース６に形成した凹溝３５の深さを浅く形成することが可能となってベース６の剛性確保が図られるようになっている。
また、図１３には、結束部材５４の変形例を示しており、これは、１つの板材６０の長手方向中央部を上方にコ字状に屈曲し、この屈曲部６０ａ内に横並びにケーブルを配設するとともに、両端の固定部６０ｂに形成した貫通孔６０ｃを介して野地板４に固定するようにしたものであり、上記と略同様の効果が得られるものとなる。しかし、先に示した図１２の場合、受け部材５５と覆い部材５６とによってケーブル３１の整列状態を保持した状態で容易に野地板４上に固定できるようにしていることから、この点で図１２の結束部材５４の方が有利なものとなっている。
【００３２】
ところで、本発明は、上記実施形態に限ることなく適宜設計変更可能である。
例えば、屋根材の詳細構造やその配設状態、各ケーブル２７，３０，３１の接続構造等は上記実施形態に限られるものではなく適宜変更可能である。
また、本発明の棟役物は、棟カバーを一体に形成したものであってもよい。
【００３３】
【発明の効果】
以上詳述したように、本発明によれば、野地板や棟カバー等に孔を穿ける必要もなく、太陽電池のケーブルを棟部から屋内へ容易に引き込むことが可能で、施工性向上を図れるとともに防水性の点でも有利となる。
【図面の簡単な説明】
【図１】本発明の要部を示す側面断面図である。
【図２】屋根棟部の側面断面図である。
【図３】屋根材及び棟役物の配置状態を示す平面図である。
【図４】本発明に係る棟役物の斜視図である。
【図５】（ａ）は棟役物の平面図、（ｂ）は、背面図である。
【図６】屋根材の分解斜視図である。
【図７】屋根材の平面図である。
【図８】屋根材の正面断面図である。
【図９】屋根材の上下段の連結状態を示す側面断面図である。
【図１０】屋根材の上下段の連結状態を拡大して示す側面断面図である。
【図１１】屋根材の配線構造を示す概略図である。
【図１２】（ａ）は結束部材の変形例を正面図、（ｂ）は同斜視図である。
【図１３】（ａ）は結束部材の変形例を示す正面図、（ｂ）は同斜視図である。
【図１４】太陽電池付き屋根を備えた建物の斜視図である。
【符号の説明】
２    屋根
３Ａ  屋根材
４    野地板
３６    挿通路
３８    棟カバー
４０    ベース部材（棟役物）
４１    上壁部
４２    立壁部
５１    切欠部
５２    挿通口
【図１】
0003609282.tif 000002
【図２】
0003609282.tif 000003
【図３】
0003609282.tif 000004
【図４】
0003609282.tif 000005
【図５】
0003609282.tif 000006
【図６】
0003609282.tif 000007
【図７】
0003609282.tif 000008
【図８】
0003609282.tif 000009
【図９】
0003609282.tif 000010
【図１０】
0003609282.tif 000011
【図１１】
0003609282.tif 000012
【図１２】
0003609282.tif 000013
【図１３】
0003609282.tif 000014
【図１４】
0003609282.tif 000015